(57)【要約】【課題】  正常と低温異常と高温異常とを判別できるようにする。【解決手段】  バイメタル式スチームトラップ１の蓋体２とキャップ１０の間に介在させる環状のガスケット１２の取付部１３に、渦巻き型バイメタル１４の中心側に位置する一端側を溶接により固定する。渦巻き型バイメタル１４は他端側に低温位置と中温位置と高温位置に変位する操作部１５を有する。断熱ケース１６を渦巻き型バイメタル１４の外方及び上方を覆う。断熱ケース１６の内周面に、薄板状のバネ材で作った低温側弾性部材１７の一端側をビス２１で固定し、薄板状のバネ材で作った高温側弾性部材１８の一端側をビス２２で固定する。断熱ケース１６の周壁に、低温側弾性部材１７の他端側が出入りする低温側窓１９を開け、高温側弾性部材１８の他端側が出入りする高温側窓２０を開ける。【選択図】      図２
2005037259.tif 000002
【特許請求の範囲】
【請求項１】
中心側の一端側が被測定物に固定され他端側が低温位置と中温位置と高温位置に変位する渦巻き型バイメタルと、低温側窓及び高温側窓が開けられ渦巻き型バイメタルを覆うケースと、ケース内に固定され渦巻き型バイメタルが低温位置に変位したときに一部が変位せしめられる低温側弾性部材と、ケース内に固定され渦巻き型バイメタルが高温位置に変位したときに一部が変位せしめられる高温側弾性部材とを具備し、渦巻き型バイメタルの他端側が低温位置に変位したときに低温側弾性部材の一部が低温側窓から突出し、渦巻き型バイメタルの他端側が高温位置に変位したときに高温側弾性部材の一部が高温側窓から突出することを特徴とする温度表示器。
【発明の詳細な説明】
【技術分野】
【０００１】
本発明は、蒸気や温水の配管やこれらの高温流体を制御する弁や機器等の被測定物に取り付けて、被測定物の温度の高低を表示する温度表示器に関する。高温流体の配管や弁や機器の温度が判ると、火傷予防に役立つばかりでなく、弁の作動状態や機器の運転状態を知ることができる。例えば、蒸気配管系から蒸気は逃がさずに復水を自動的に排出するスチームトラップの場合は、所定の温度であれば中温で正常であるが、所定温度よりも高温であれば蒸気が漏れている高温異常と推測でき、所定温度よりも低温であれば排水不足や排水不能の状態である低温異常と推測できる。
【背景技術】
【０００２】
従来の温度表示器は、形状記憶合金で薄板を作り、その表面と裏面が別の色になるように着色し、所定温度よりも低温では薄板の表面が高温では変形して裏面が見えるように、上記薄板の一部を配管や弁の表面に固定したものである。
【０００３】
上記従来の温度表示器は、所定温度を境にして低温であるか高温であるかを表示するものであり、所定温度よりも低温の場合に中温で正常であるのか低温で異常であるのかを区別できず、所定温度よりも高温の場合に中温で正常であるのか高温で異常であるのかを区別できない問題点があった。
【特許文献１】実開昭６１−２１９４１号公報
【発明の開示】
【発明が解決しようとする課題】
【０００４】
解決しようとする課題は、低温と中温と高温を確認できるようにすることである。
【課題を解決するための手段】
【０００５】
本発明は、中心側の一端側が被測定物に固定され他端側が低温位置と中温位置と高温位置に変位する渦巻き型バイメタルと、低温側窓及び高温側窓が開けられ渦巻き型バイメタルを覆うケースと、ケース内に固定され渦巻き型バイメタルが低温位置に変位したときに一部が変位せしめられる低温側弾性部材と、ケース内に固定され渦巻き型バイメタルが高温位置に変位したときに一部が変位せしめられる高温側弾性部材とを具備し、渦巻き型バイメタルの他端側が低温位置に変位したときに低温側弾性部材の一部が低温側窓から突出し、渦巻き型バイメタルの他端側が高温位置に変位したときに高温側弾性部材の一部が高温側窓から突出することを特徴とする。
【発明の効果】
【０００６】
本発明は、低温と中温と高温を確認できるので、排水不足や排水不能のような低温異常と、正常と、蒸気漏れのような高温異常とを判別できるという優れた効果を生じる。
【発明を実施するための最良の形態】
【０００７】
本発明は、渦巻き型バイメタルの他端側が低温位置と中温位置と高温位置に変位し、低温位置に変位したときに低温側弾性部材の一部が低温側窓から突出し、高温位置に変位したときに高温側弾性部材の一部が高温側窓から突出するものである。そのため、低温側弾性部材の一部が低温側窓から突出すれば所定温度よりも低温であると確認でき、高温側弾性部材の一部が高温側窓から突出すれば所定温度よりも高温であると確認でき、低温側弾性部材が低温側窓から高温側弾性部材が高温側窓から突出しなければ中温であると確認できる。
【実施例１】
【０００８】
上記の技術的手段の具体例を示す実施例を説明する（図１参照）。参照番号１は高温流体を制御する弁の一例を示すバイメタル式スチームトラップである。バイメタル式スチームトラップ１は本体２と蓋体３とで形成されるケーシング内にバイメタル積層体４を配置し、周囲の温度に応じて変形するバイメタルで弁棒５を駆動し、入口７と出口８を連通する弁口９を弁棒５の下端の弁体６によって開閉することにより、所定の設定温度以下の復水を自動的に排出するものである。排出する復水の温度を変更する場合は、蓋体３の上端外周にねじ結合したキャップ１０を外し、蓋体２の内周にねじ結合した調節棒１１を上下に変位させる。
【０００９】
蓋体２とキャップ１０の間に介在させる環状のガスケット１２は、外周に上方に折り曲げた取付部１３を有する。取付部１３はキャップ１０の一側面に位置し、渦巻き型バイメタル１４の中心側に位置する一端側を溶接により固定する。渦巻き型バイメタル１４は他端に直径外方に折り曲げた操作部１５を有する。渦巻き型バイメタル１４の外方及び上方を覆う断熱ケース１６を蓋体２の上面とキャップ１０の六角部の下面との間に挟んで固定する。薄板状のバネ材で作った低温側弾性部材１７の一端側をビス２１で断熱ケース１６の内周面に固定し、同じく薄板状のバネ材で作った高温側弾性部材１８の一端側をビス２２で断熱ケース１６の内周面に固定する。断熱ケース１６の周壁には低温側弾性部材１７の他端側の先方に低温側窓１９を開け、高温側弾性部材１８の他端側の先方に高温側窓２０を開ける。
【００１０】
バイメタル式スチームトラップ１が正常に作動し、所定温度以下の復水を自動的に排出していると、渦巻き型バイメタル１４の操作部１５は図２に示すように低温側窓１９と高温側窓２０のほぼ中間に位置し、低温側弾性部材１７及び高温側弾性部材１８はそれぞれ低温側窓１９及び高温側窓２０から突出していない。これにより、正常であると確認できる。バイメタル式スチームトラップ１が蒸気を漏洩していると、渦巻き型バイメタル１４の操作部１５は図２に示す状態から時計回り方向に約５０度回転して高温側窓２０の少し右側に変位し、高温側弾性部材１８の他端側を外方に変位させて高温側窓２０から突出させる。これにより、蒸気が漏れている高温異常を確認できる。バイメタル式スチームトラップ１が排水不足や排水不能の状態であると、渦巻き型バイメタル１４の操作部１５は図２に示す状態から反時計回り方向に約５０度回転して低温側窓１９の少し右側に変位し、低温側弾性部材１７の他端側を外方に変位させて低温側窓１９から突出させる。これにより、排水不足や排水不能の状態である低温異常を確認できる。
【図面の簡単な説明】
【００１１】
【図１】本発明の実施例の温度表示器をバイメタル式スチームトラップに取り付けた断面図。
【図２】図１のＡ−Ａ断面図。
【符号の説明】
【００１２】
１  バイメタル式スチームトラップ
２  本体
３  蓋体
４  バイメタル積層体
５  弁棒
６  弁体
７  入口
８  出口
９  弁口
１０  キャップ
１１  調節棒
１２  ガスケット
１３  取付部
１４  渦巻き型バイメタル
１５  操作部
１６  断熱ケース
１７  低温側弾性部材
１８  高温側弾性部材
１９  低温側窓
２０  高温側窓
【図１】
2005037259.tif 000003
【図２】
2005037259.tif 000004